(57)【要約】【課題】より簡素な構成で、往復動の中間に中立位置を比較的簡単に設定することが可能なドア開閉状態切替装置を得る。【解決手段】可動部７と係合し、可動部７によって往復動方向Ｍの一方側に押されて移動する第一の押圧部材８ｂと、可動部７と係合し、可動部７によって往復動方向Ｍの他方側に押されて移動する第二の押圧部材８ｃと、第一および第二の押圧部材８ｂ，８ｃを相反する側に付勢してそれら第一および第二の押圧部材８ｂ，８ｃに可動部７からの押圧力に対する付勢反力を与える付勢機構としてのコイルスプリング８ｄと、を設け、コイルスプリング８ｄによって付勢された第一および第二の押圧部材８ｂ，８ｃによって可動部７の一部となるスライダ８ａの軸８ｅを挟持することにより、可動部７を、往復動方向Ｍの一方側の位置と他方側の位置との間となる中間位置で保持するようにした。【選択図】図５
2010143514.tif 000002
【特許請求の範囲】
【請求項１】
開口部分が形成された本体部と、
前記本体部に可動支持されて前記開口部分を開閉可能に閉塞するドアと、
前記ドアおよび前記本体部のうちいずれか一方に往復動可能に支持された可動部と、
前記可動部が往復動方向の一方側に位置する状態と他方側に位置する状態とで前記ドアの本体部に対する接続状態を切り替える接続状態切替機構と、
前記ドアおよび前記本体部のうち前記可動部が支持される方に前記可動部と同方向に往復動可能に支持されるとともに、前記可動部と係合し、当該可動部によって前記往復動方向の一方側に押されて移動する第一の押圧部材と、
前記ドアおよび前記本体部のうち前記可動部が支持される方に前記可動部と同方向に往復動可能に支持されるとともに、前記可動部と係合し、当該可動部によって前記往復動方向の他方側に押されて移動する第二の押圧部材と、
前記第一および第二の押圧部材を相反する側に付勢してそれら第一および第二の押圧部材に前記可動部からの押圧力に対する付勢反力を与える付勢機構と、
を備え、
前記付勢機構によって付勢された前記第一および第二の押圧部材によって前記可動部の一部を挟持することにより、当該可動部を、前記一方側の位置と前記他方側の位置との間となる中間位置で保持するようにしたことを特徴とするドア開閉状態切替装置。
【請求項２】
前記ドアは、
前記開口部分を閉蓋する状態と、相互に対向する二つの端辺のうち一方側が前記本体部に回動可能に支持されて前記開口部分を他方側に開放する状態と、相互に対向する二つの端辺のうち他方側が前記本体部に回動可能に支持されて前記開口部分を一方側に開放する状態と、を切替可能な両開きドアであり、
前記接続状態切替機構は、
前記ドアの相互に対向する二つの端辺のうち一方側が前記本体部に接続されて回動可能に支持された状態と当該一方側が前記本体部から離脱した状態とを切替可能な第一の着脱式ヒンジ機構と、
前記ドアの相互に対向する二つの端辺のうち他方側が前記本体部に接続されて回動可能に支持された状態と当該他方側が前記本体部から離脱した状態とを切替可能な第二の着脱式ヒンジ機構と、
前記可動部が往復動方向の一方側に位置する状態では前記第一および第二の着脱式ヒンジ機構のうち一方を接続状態として他方を離脱状態とし、前記可動部が往復動方向の他方側に位置する状態では前記第一および第二の着脱式ヒンジ機構のうち他方を接続状態として一方を離脱状態とし、前記可動部が前記中間位置に位置する状態では前記第一および第二の着脱式ヒンジ機構の双方を接続状態とする操作機構と、を有することを特徴とする請求項１に記載のドア開閉状態切替装置。
【請求項３】
前記ドアを二つ備え、
前記接続状態切替機構は、
前記二つのドアのうち一方を本体部にロックする第一のロック機構と、
前記二つのドアのうち他方を本体部にロックする第二のロック機構と、
前記可動部が前記中間位置に位置する状態では前記第一および第二のロック機構の双方をロック状態とし、前記可動部が往復動方向の一方側に位置する状態と他方側に位置する状態とで、前記第一および第二のロック機構のうち少なくともいずれか一方のロックを解除して二つのドアの異なる開放状態を得る第二の操作機構と、を有することを特徴とする請求項１に記載のドア開閉状態切替装置。
【発明の詳細な説明】
【技術分野】
【０００１】
本発明は、ドア開閉状態切替装置に関する。
【背景技術】
【０００２】
従来、ドアの相互に対向する一対の端辺のうち一方を接続して他方を開放する状態と、他方を接続して一方を開放する状態と、が得られるドア開閉状態切替装置が知られている（例えば特許文献１）。
【特許文献１】特開２００６−６２６０５号公報
【発明の開示】
【発明が解決しようとする課題】
【０００３】
しかしながら、上記特許文献１では、一対の端辺の双方にそれぞれ別個に操作スイッチを設けてあるため、部品点数が増大するという問題があった。
【０００４】
一方、一つの操作部を往復動させてその一方側の位置と他方側の位置とで開放状態を切り替えるように構成した場合には、中立位置を設定するのが難しくなる。
【０００５】
そこで、本発明は、より簡素な構成で、往復動の中間に中立位置を比較的簡単に設定することが可能なドア開閉状態切替装置を得ることを目的とする。
【課題を解決するための手段】
【０００６】
請求項１の発明にあっては、開口部分が形成された本体部と、上記本体部に可動支持されて上記開口部分を開閉可能に閉塞するドアと、上記ドアおよび上記本体部のうちいずれか一方に往復動可能に支持された可動部と、上記可動部が往復動方向の一方側に位置する状態と他方側に位置する状態とで上記ドアの本体部に対する接続状態を切り替える接続状態切替機構と、上記ドアおよび上記本体部のうち上記可動部が支持される方に上記可動部と同方向に往復動可能に支持されるとともに、上記可動部と係合し、当該可動部によって上記往復動方向の一方側に押されて移動する第一の押圧部材と、上記ドアおよび上記本体部のうち上記可動部が支持される方に上記可動部と同方向に往復動可能に支持されるとともに、上記可動部と係合し、当該可動部によって上記往復動方向の他方側に押されて移動する第二の押圧部材と、上記第一および第二の押圧部材を相反する側に付勢してそれら第一および第二の押圧部材に上記可動部からの押圧力に対する付勢反力を与える付勢機構と、を備え、上記付勢機構によって付勢された上記第一および第二の押圧部材によって上記可動部の一部を挟持することにより、当該可動部を、上記一方側の位置と上記他方側の位置との間となる中間位置で保持するようにしたことを特徴とする。
【０００７】
請求項２の発明にあっては、上記ドアは、上記開口部分を閉蓋する状態と、相互に対向する二つの端辺のうち一方側が上記本体部に回動可能に支持されて上記開口部分を他方側に開放する状態と、相互に対向する二つの端辺のうち他方側が上記本体部に回動可能に支持されて上記開口部分を一方側に開放する状態と、を切替可能な両開きドアであり、上記接続状態切替機構は、上記ドアの相互に対向する二つの端辺のうち一方側が上記本体部に接続されて回動可能に支持された状態と当該一方側が上記本体部から離脱した状態とを切替可能な第一の着脱式ヒンジ機構と、上記ドアの相互に対向する二つの端辺のうち他方側が上記本体部に接続されて回動可能に支持された状態と当該他方側が上記本体部から離脱した状態とを切替可能な第二の着脱式ヒンジ機構と、上記可動部が往復動方向の一方側に位置する状態では上記第一および第二の着脱式ヒンジ機構のうち一方を接続状態として他方を離脱状態とし、上記可動部が往復動方向の他方側に位置する状態では上記第一および第二の着脱式ヒンジ機構のうち他方を接続状態として一方を離脱状態とし、上記可動部が上記中間位置に位置する状態では上記第一および第二の着脱式ヒンジ機構の双方を接続状態とする操作機構と、を有することを特徴とする。
【０００８】
請求項３の発明にあっては、上記ドアを二つ備え、上記接続状態切替機構は、上記二つのドアのうち一方を本体部にロックする第一のロック機構と、上記二つのドアのうち他方を本体部にロックする第二のロック機構と、上記可動部が上記中間位置に位置する状態では上記第一および第二のロック機構の双方をロック状態とし、上記可動部が往復動方向の一方側に位置する状態と他方側に位置する状態とで、上記第一および第二のロック機構のうち少なくともいずれか一方のロックを解除して二つのドアの異なる開放状態を得る第二の操作機構と、を有することを特徴とする。
【発明の効果】
【０００９】
請求項１の発明によれば、往復動する可動部が一方側に位置する状態と他方側に位置する状態とで、ドアを異なるモードで開放し、可動部が往復動区間の中間に位置する状態でドアを閉塞する構成とすることで、二つのドア開放モード（および閉塞モード）について可動部を共用することができるため、上記従来装置のように可動部や操作部を複数設けた場合に比べて、ドア開閉状態切替装置を比較的簡素な構成として得ることができる。また、付勢機構によって相反する方向に付勢される第一および第二の押圧部材によって可動部を挟持することで、可動部の中立位置を比較的簡単に設定することが可能となる。
【００１０】
請求項２の発明によれば、両開きドアを比較的簡素な構成のドア開閉状態切替装置によって得ることができる。
【００１１】
請求項３の発明によれば、二つのドアの異なる開放モードを比較的簡素な構成のドア開閉状態切替装置によって得ることができる。
【発明を実施するための最良の形態】
【００１２】
以下、本発明の実施形態について図面を参照しながら詳細に説明する。なお、以下の複数の実施形態には同様の構成要素が含まれている。よって、以下ではそれら同様の構成要素については共通の符号を付与するとともに、重複する説明を省略する。
【００１３】
（第１実施形態）図１は、本実施形態にかかるドア開閉状態切替装置を装備したコンソールボックスの分解斜視図、図２は、コンソールボックスの斜視図であって、ドアの閉塞状態を示す図、図３は、コンソールボックスの斜視図であって、ドアが一方側で回動可能に支持され他方側に開放された状態を示す図、図４は、コンソールボックスの斜視図であって、ドアが他方側で回動可能に支持され一方側に開放された状態を示す図、図５は、ドア開閉状態切替装置の内部構成の一部の分解斜視図、図６は、ドアが閉塞された状態でのドアの側面図（一部断面図）、図７は、図６に対応するドアの内部構成を示す平面図、図８は、ドアが他方側に開放される直前の状態でのドアの側面図（一部断面図）、図９は、図８に対応するドアの内部構成を示す平面図、図１０は、ドアが一方側に開放される直前の状態でのドアの側面図（一部断面図）、図１１は、図１０に対応するドアの内部構成を示す平面図である。なお、図中、可動部の往復動方向をＭで示す。
【００１４】
本実施形態にかかるドア開閉状態切替装置５は、車室内に装備されるコンソールボックス１に装備されている。
【００１５】
コンソールボックス１は、上方に向けて開口する開口部分２ａが形成されて小物や、ボトル、缶等の容器として構成される略箱状の本体部２と、本体部２に可動支持されて開口部分２ａを開閉可能に閉塞するドア３と、を備えている。
【００１６】
ドア３は、図２〜図４に示すように、平面視で略矩形状に形成されており、閉塞された状態と（図２）、相互に対向する一対の端辺３ａ，３ｂのうち一方側（図２〜図４の右上側）の端辺３ａが本体部２に回動可能に支持されて開口部分２ａを他方側に開放する状態と（図３）、他方側（図２〜図４の左下側）の端辺３ｂが本体部２に回動可能に支持されて開口部分２ａを一方側に開放する状態と（図４）、を切替可能な、所謂両開きドアとして構成されている。
【００１７】
本実施形態では、ドア３の一方側（図２〜図４の右上側）および他方側の双方には、それぞれ一対ずつ、背反する方向（側外方）に突没可能に突出するヒンジピン３ｃが設けられており（ただし、図２〜図４では一対のヒンジピン３ｃうち手前側にあるもののみを図示）、本体部２の開口部分２ａの四隅には上方に向けて突出する支持片２ｂが形成されるとともにこの支持片２ｂに略円形の貫通孔２ｃが形成されている。そして、突出したヒンジピン３ｃが対応する貫通孔２ｃに挿通されて支持片２ｂに回動可能に支持されることで、ドア３のヒンジが構成されるようになっている。
【００１８】
そして、本実施形態では、使用者が、図２に示す閉塞状態で、ドア３の一方側および他方側の端辺３ａ，３ｂから露出する操作子４を押すことで、ドア３のどちら側を開放するか（すなわちドア３の開放状態）を選択できるようになっている。すなわち、図４の閉塞状態では、四つのヒンジピン３ｃの全てが突出して対応する貫通孔２ｃに挿通されている。そして、この状態で、他方側（図２の左下側）の操作子４を一方側（図２の右上側）に向けて押し込むと、四つのヒンジピン３ｃのうち他方側（図２の左下側）の二つのヒンジピン３ｃが没入してこれらヒンジピン３ｃと支持片２ｂとの係合が解除されてドア３の他方側を開放できるようになる。逆に、一方側（図４の右上側）の操作子４を他方側（図２の左下側）に向けて押し込むと、四つのヒンジピン３ｃのうち一方側（図４の右上側）の二つのヒンジピン３ｃが没入してこれらヒンジピン３ｃと支持片２ｂとの係合が解除されてドア３の一方側を開放できるようになる。なお、本実施形態では、ドア３を手動で持ち上げて開放するが、コイルスプリングその他の付勢機構を装備しておき、ヒンジピン３ｃと支持片２ｂとの係合が解除されると付勢機構によってドア３が跳ね上げられて開放されるように構成してもよい。また、操作子４は、押し込み操作のみならず引っ張り操作も有効に構成してもよいし、他の方向に動かすように構成してもよい。
【００１９】
上述したドア３の開閉状態の切り替えは、ドア開閉状態切替装置５によって行われる。本実施形態では、ドア開閉状態切替装置５の主たる構成要素をドア３側に装備してある。
【００２０】
図１に示すように、ドア３は、ロワケース６Ｌとアッパケース６Ｕとを突き合わせて扁平な略矩形の箱状に形成されたケース６を備えており、このケース６内に、操作子４と連動して上記一方側の位置と他方側の位置との間で往復動可能に支持された略プレート状の可動部７、往復動方向Ｍのいずれか一方に移動した可動部７を中立位置へ復帰させる復帰機構８、およびヒンジピン３ｃを突没可能に保持してドア３の本体部２に対する接続と離脱とを切り替える第一および第二の着脱式ヒンジ機構９Ａ，９Ｂが設けられている。なお、本実施形態では、操作子４は可動部７に一体化されているが、操作子４によって可動部７を動かすことができればよく、一体化されていることは必須ではない。
【００２１】
第一および第二の着脱式ヒンジ機構９Ａ，９Ｂは、それぞれロワケース６Ｌから下面側に略矩形箱状に膨出形成された凹部６ａ内に収容されている。凹部６ａは、可動部７の往復動方向Ｍの一方側と他方側との二箇所に設けられており、一方側の凹部６ａに収容された部品（二つのスライダ９ａとコイルスプリング９ｂ）によって第一の着脱式ヒンジ機構９Ａが構成され、他方側の凹部６ａに収容された部品（二つのスライダ９ａとコイルスプリング９ｂ）によって第二の着脱式ヒンジ機構９Ｂが構成されている。
【００２２】
凹部６ａは、可動部７の往復動方向Ｍと直交する方向に略沿って伸びており、この凹部６ａ内に、ヒンジの軸となるヒンジピン３ｃの形成されたスライダ９ａが往復動可能に収容されている。凹部６ａは、スライダ９ａを可動部７の往復動方向Ｍと直交する方向に移動案内するガイドとして機能している。スライダ９ａは各凹部６ａにつき二つ収容されている。凹部６ａ内で二つのスライダ９ａの間には圧縮ばねとして機能するコイルスプリング９ｂが介装されており、このコイルスプリング９ｂによって、各スライダ９ａは凹部６ａ内で長手方向端部へ向けて付勢されている。また、ヒンジピン３ｃは、凹部６ａの長手方向に沿って伸びるとともに、凹部６ａの端壁６ｂには、ヒンジピン３ｃを挿通する貫通孔６ｃが形成されている。よって、ヒンジピン３ｃはスライダ９ａの凹部６ａ内での位置に応じてこの貫通孔６ｃから突没することになる。
【００２３】
スライダ９ａには、可動部７側に向けて突出する位置決めピン１０ａが設けられている。一方、可動部７には、位置決めピン１０ａを挿通する長穴１０ｂが形成されている。長穴１０ｂは、可動部７の往復動方向Ｍの中央部側では凹部６ａの長手方向端部側に位置し、可動部７の往復動方向Ｍの端部側に向かうにつれて凹部６ａの長手方向中央部側に向けて傾斜している。したがって、可動部７の移動に応じて、位置決めピン１０ａが長穴１０ｂにガイドされて移動し、これにより、スライダ９ａが移動し、ヒンジピン３ｃが突没することになる。すなわち、本実施形態では、可動部７のうち長穴１０ｂの形成された部分と位置決めピン１０ａとによって、第一および第二の着脱式ヒンジ機構９Ａ，９Ｂの本体部２への接続状態を切り替える操作機構１０が構成されている。そして、これら第一および第二の着脱式ヒンジ機構９Ａ，９Ｂおよび操作機構１０によって、接続状態切替機構２０が構成されている。
【００２４】
図５に示すように、可動部７を中立位置に復帰させる復帰機構８は、可動部７にねじ１１等で一体化されて可動部７の一部となるスライダ８ａと、スライダ８ａと係合し、当該スライダ８ａによって可動部７の往復動方向Ｍの一方側（図５の右上側）に向けて押されて移動する第一の押圧部材８ｂと、スライダ８ａと係合し、当該スライダ８ａによって可動部７の往復動方向Ｍの他方側（図５の左下側）に向けて押されて移動する第二の押圧部材８ｃとを備えている。さらに、復帰機構８は、第一の押圧部材８ｂを他方側（図５の左下側）に向けて付勢するとともに第二の押圧部材８ｃを一方側（図５の右上側）に向けて付勢するコイルスプリング８ｄを備え、このコイルスプリング８ｄによって、第一および第二の押圧部材８ｂ，８ｃに可動部７からの押圧力に対する付勢反力を与えている。
【００２５】
スライダ８ａには、往復動方向Ｍと直交する方向に沿って相反する方向に伸びる一対の軸８ｅ，８ｅが形成されている。一方、第一および第二の押圧部材８ｂ，８ｃには、往復動方向Ｍと直交する方向に対向する一対の側壁８ｆ，８ｆが設けられており、これら側壁８ｆ，８ｆに往復動方向Ｍに略沿って伸びる長穴８ｇ，８ｇが形成されている。側壁８ｆ，８ｆ間の幅は、第一の押圧部材８ｂの方を第二の押圧部材８ｃより大きくして、第二の押圧部材８ｃの側壁８ｆ，８ｆの外側に第一の押圧部材８ｂの側壁８ｆ，８ｆを重ね合わせられるようにして、対応する長穴８ｇ同士が重なり合い、その重なり合った長穴８ｇに、スライダ８ａの軸８ｅを挿通させて、復帰機構８を組み立てられるようにしてある（図１、図６〜図１１参照）。なお、側壁８ｆ，８ｆは、往復動方向Ｍの端部側で底壁８ｈによって接続され、底壁８ｈには端壁８ｉが突設されている。
【００２６】
さらに、第一の押圧部材８ｂの端壁８ｉには、可動部７の往復動方向Ｍに沿って伸びる棒状部８ｊが突設され、第二の押圧部材８ｃの端壁８ｉには、その棒状部８ｊを挿通させる貫通孔８ｋが形成されている。コイルスプリング８ｄは、この棒状部８ｊに外装させた状態で組み付けられる。また、棒状部８ｊと貫通孔８ｋとによって、第一および第二の押圧部材８ｂ，８ｃ同士が相互にガイドされるようになっている。
【００２７】
このようにしてアセンブリされた復帰機構８は、ロワケース６Ｌの内面上に略矩形環状に突設された包囲壁６ｄ内に緩挿されている。この包囲壁６ｄは、第一および第二の押圧部材８ｂ，８ｃを往復動方向Ｍに移動案内するガイドとなっている。
【００２８】
上記構成のドア開閉状態切替装置５の動作について、図６〜図１１を参照しながら説明する。
【００２９】
図６および図７は、ドア３の閉塞状態を示している。この状態では、上述した復帰機構８の作用によって、可動部７は往復動方向Ｍ（図６および図７の左右方向）の中間位置にある。すなわち、可動部７に対して操作子４を介して使用者による操作力が印加されない状態では、第一および第二の押圧部材８ｂ，８ｃは、コイルスプリング８ｄの圧縮反力によって、往復動方向Ｍに相互に離間する。すると、可動部７と一体化されて当該可動部７の一部となるスライダ８ａの軸８ｅは、第一の押圧部材８ｂの長穴８ｇの長手方向一方側（右側）の縁８ｍと、第二の押圧部材８ｂの長穴８ｇの長手方向他方側（左側）の縁８ｎと、で挟持されることになる。さらに、図６および図７に示すように、この状態では、第一および第二の押圧部材８ｂ，８ｃが、ロワケース６Ｌの包囲壁６ｄ（の往復動方向Ｍの端壁間）内に丁度収容されるようになっている。したがって、ロワケース６Ｌに対して、第一および第二の押圧部材８ｂ，８ｃの位置が定まり、これら第一および第二の押圧部材８ｂ，８ｃによって挟持されたスライダ８ａの軸８ｅの位置、すなわち可動部７の往復動方向Ｍの中間位置が、ロワケース６Ｌに対して規定されることになる。なお、長穴８ｇの縁８ｍ，８ｎで軸８ｅを挟持する部分や、包囲壁６ｄの端壁と第一または第二の押圧部材８ｂ，８ｃとの間等に、がたつきを吸収するシムを挟みこむようにしてもよい。この場合、シムは、可撓性材料（例えばエラストマ等の弾性材料やスポンジ等の発泡性材料等）で構成しておくのが好適である。
【００３０】
図８および図９は、ドア３が他方側（図８および図９の左側）に開放される直前の状態を示している。この状態では、可動部７は、操作子４を介して使用者から印加された往復動方向Ｍの一方側（図８および図９の右側）へ向かう操作力Ｆによって、当該往復動方向Ｍの一方側へ押し込まれる。すると、図９に示すように、可動部７に形成された長穴１０ｂにガイドされて、第二の着脱式ヒンジ機構９Ｂの位置決めピン１０ａ，１０ａが凹部６ａの長手方向（図９の上下方向）の中央部側へ移動し、これにより、第二の着脱式ヒンジ機構９Ｂのスライダ９ａ、ひいてはそのヒンジピン３ｃ、すなわちドア３の他方側（図８および図９の左側）のヒンジピン３ｃがドア３の内部側に没入し、支持片２ｂとの係合が解除される。また、第一の着脱式ヒンジ機構９Ａの位置決めピン１０ａ，１０ａは、凹部６ａの長手方向の端部側に位置したままであるため、支持片２ｂに係合（接続）されたままである。したがって、この状態では、他方側に位置する第二の着脱式ヒンジ機構９Ｂではヒンジピン３ｃと支持片２ｂとの係合が解除され、他方側に位置する第一の着脱式ヒンジ機構９Ａではヒンジピン３ｃと支持片２ｂとが接続されたままとなるため、使用者は、ドア３の他方側の端辺３ｂを引き上げることで、開口部分２ａを他方側に開放することができる。
【００３１】
また、図１０および図１１は、ドア３が一方側（図１０および図１１の右側）に開放される直前の状態を示している。この状態では、可動部７は、操作子４を介して使用者から印加された往復動方向Ｍの他方側（図１０および図１１の左側）へ向かう操作力Ｆによって、当該往復動方向Ｍの他方側へ押し込まれる。すると、上記図８および図９に説明したのと同様の動作によって、一方側（図１０および図１１の右側）に位置する第一の着脱式ヒンジ機構９Ａではヒンジピン３ｃと支持片２ｂとの係合が解除され、他方側に位置する第二の着脱式ヒンジ機構９Ｂではヒンジピン３ｃと支持片２ｂとが接続されたままとなるため、使用者は、ドア３の一方側の端辺３ｂを引き上げることで、開口部分２ａを一方側に開放することができる。
【００３２】
以上、説明したように、本実施形態では、ドア開閉状態切替装置５に、可動部７が往復動方向Ｍの一方側に位置する状態と他方側に位置する状態とでドア３の開閉状態を切り替える接続状態切替機構２０を設け、さらに、ドア３および本体部２のうち可動部７が支持される方に可動部７と同方向に往復動可能に支持されるとともに、可動部７と係合し、当該可動部７によって往復動方向Ｍの一方側に押されて移動する第一の押圧部材８ｂと、ドア３および本体部２のうち可動部７が支持される方に可動部７と同方向に往復動可能に支持されるとともに、可動部７と係合し、当該可動部７によって往復動方向Ｍの他方側に押されて移動する第二の押圧部材８ｃと、第一および第二の押圧部材８ｂ，８ｃを相反する側に付勢してそれら第一および第二の押圧部材８ｂ，８ｃに可動部７からの押圧力に対する付勢反力を与える付勢機構としてのコイルスプリング８ｄと、を設け、当該コイルスプリング８ｄによって付勢された第一および第二の押圧部材８ｂ，８ｃによって可動部７の一部となるスライダ８ａの軸８ｅを挟持することにより、当該可動部７を、一方側の位置と他方側の位置との間となる中間位置で保持するようにした。
【００３３】
よって、往復動する可動部７が一方側に位置する状態と他方側に位置する状態とで、ドアを異なるモードで開放し、可動部７が往復動区間の中間に位置する状態でドア３を閉塞する構成とすることで、二つのドア開放モード（および閉塞モード）について可動部７を共用することができるため、上記従来装置のように可動部７や操作子４を複数設けた場合に比べて、ドア開閉状態切替装置５を比較的簡素な構成として得ることができる。
【００３４】
また、付勢機構としてのコイルスプリング８ｄによって相反する方向に付勢される第一および第二の押圧部材８ｂ，８ｃによって可動部７を挟持することで、可動部７の中立位置を比較的簡単に設定することが可能となる。
【００３５】
また、本実施形態では、ドア３は、両開きドアであり、接続状態切替機構２０を、ドア３の端辺３ａの側が本体部２に接続されて回動可能に支持された状態と当該端辺３ａの側が本体部２から離脱した状態とを切替可能な第一の着脱式ヒンジ機構９Ａと、ドア３の端辺３ｂの側が本体部２に接続されて回動可能に支持された状態と当該端辺３ｂの側が本体部２から離脱した状態とを切替可能な第二の着脱式ヒンジ機構９Ｂと、可動部７が往復動方向Ｍの一方側に位置する状態では第一および第二の着脱式ヒンジ機構９Ａ，９Ｂのうち一方を接続状態として他方を離脱状態とし、可動部７が往復動方向Ｍの他方側に位置する状態では第一および第二の着脱式ヒンジ機構９Ａ，９Ｂのうち他方を接続状態として一方を離脱状態とし、可動部７が中間位置に位置する状態では前記第一および第二の着脱式ヒンジ機構９Ａ，９Ｂの双方を接続状態とする操作機構１０と、を有するものとした。
【００３６】
よって、両開きドアを比較的簡素な構成のドア開閉状態切替装置５によって得ることができる。
【００３７】
（第２実施形態）図１２は、本実施形態にかかるコンソールボックスの斜視図であって、二つのドアがともに閉塞された状態を示す図、図１３は、ドア開閉状態切替装置の一部を示す分解斜視図、図１４は、二つのドアがともに閉塞された状態でのドアの側面図（一部断面図）、図１５は、他方側のドアのみが開放される直前の状態でのドアの側面図（一部断面図）、図１６は、二つのドアがともに開放される直前の状態でのドアの側面図（一部断面図）である。なお、図中可動部の往復動方向をＭで示すとともに、往復動方向Ｍの一方および他方の定義を上記第１実施形態と同じにする。
【００３８】
本実施形態にかかるコンソールボックス１Ａは、本体部２Ａ上に、観音開きとなる二つのドア３Ａ，３Ｂを備えている。操作子４Ａは、二つのドア３Ａ，３Ｂのうち、可動部７Ａの往復動方向Ｍの他方側（図１２の左下側）のドア３Ａの当該他方側に露出しており、上下に操作するものとして構成されている。ドア３Ａは本体部２Ａの収容室２ｄを上方から塞ぎ、ドア３Ｂは収容室２ｅを上方から塞いでいる。
【００３９】
ドア開閉状態切替装置５Ａは、二つのドア３Ａ，３Ｂのうち他方側のドア３Ａを本体部２Ａにロックする第一のロック機構１３Ａと、一方側のドア３Ｂを本体部２Ａにロックする第二のロック機構１３Ｂとを備えている。
【００４０】
このうち、第一のロック機構１３Ａは、上記第１実施形態にかかる第一の着脱式ヒンジ機構９Ａと同様の構成となっている。すなわち、往復動方向Ｍと直交する方向の両端側外方に向けてヒンジピン３ｃを進退移動させることで、当該ヒンジピン３ｃが本体部２Ａに形成した支持片２ｂ（図示せず）の貫通孔２ｃ（図示せず）に挿通されたロック状態と、貫通孔２ｃから離脱したロック解除状態とが切り替わるように構成されている。
【００４１】
第二のロック機構１３Ｂは、往復動方向Ｍに進退可能にドア３Ｂに支持されたラッチ１３ａを備えており、ラッチ１３ａが他方側に位置して爪１３ｂが本体部２Ａに形成された係合孔２ｆに挿入された状態でロック状態となり、爪１３ｂが係合孔２ｆから離脱した状態でロック解除状態となる。ラッチ１３ａは、付勢機構としてのコイルスプリング１３ｃによって、ドア３Ｂに形成された貫通孔３ｅからドア３Ａ側に突出している。一方、可動部７Ａのドア３Ｂ側の端部には突起１０ｃが設けられ、この突起１０ｃがドア３Ａに形成された貫通孔３ｄからドア３Ｂに対して突没するようになっている。
【００４２】
また、本実施形態では、ドア３Ａは図示しないコイルスプリング等の付勢機構によって回動軸１２ａ回りで開放方向（図１４〜図１６では反時計回り方向）に付勢されるとともに、ドア３Ｂは図示しないコイルスプリング等の付勢機構によって回動軸１２ｂ回りで開放方向（図１４〜図１６では時計回り方向）に付勢されている。よって、第一のロック機構１３Ａのロックが解除されるとドア３Ａは付勢機構の付勢力によって自動的に開放され、第二のロック機構１３Ｂのロックが解除されるとドア３Ｂは付勢機構の付勢力によって自動的に開放される。
【００４３】
操作子４Ａは、ドア３Ａに、回動軸４ａ回りに回動可能に支持されている。操作子４Ａの一方側（奥側）には突起部４ｂが形成され、当該突起部４ｂが可動部７Ａのスリット７ａに係合されている。そして、図１５に示すように、操作子４Ａの他方側（露出側）を下方に動かすと、当該操作子４Ａが回動軸４ａ回りで図１４〜図１６の反時計回り方向に回動して、突起部４ｂおよび可動部７Ａが他方側（図１４〜図１６の左側）に移動し、図１６に示すように、操作子４Ａの他方側を上方に動かすと、当該操作子４Ａが回動軸４ａ回りで図１４〜図１６の時計回り方向に回動して、突起部４ｂおよび可動部７Ａが一方側（図１４〜図１６の右側）に移動するようになっている。
【００４４】
可動部７Ａは、本実施形態でも略プレート状に形成されており、ねじ１１によって復帰機構８のスライダ８ａに固定されている。復帰機構８は、上記第１実施形態のものと全く同様に構成してある。
【００４５】
ドア３Ａのロックおよびロック解除は、上述したように、第１実施形態にかかる第一の着脱式ヒンジ機構９Ａと同様に構成された第一のロック機構１３Ａによって切り替わるようになっている。この切り替えは、上記第１実施形態と同様に、ピン１０ａと長穴１０ｂとによって行われるのであるが、本実施形態では、長穴１０ｂを、図１３に示すように、可動部７Ａの往復動方向Ｍの両端側で、往復動方向Ｍと直交する方向の中央部側へ向かうように形成してある。したがって、可動部７Ａが往復動方向Ｍの一方側に位置するときと、他方側に位置するときとの両方で、ヒンジピン３ｃが没入し、ドア３Ａが開放されることになる。一方、ドア３Ｂは、可動部７Ａが一方側（図１４〜図１６の右側）に移動したときにのみ、突起１０ｃに押されたラッチ１３ａの爪１３ｂが係合孔２ｆから離脱して、ロックが解除されるようになっている。
【００４６】
また、操作子４Ａに操作力Ｆが加わらない状態では、上記第１実施形態と同様の復帰機構８によって、可動部７Ａが往復動方向Ｍの中間位置に保持され、この状態では、第一および第二のロック機構１３Ａ，１３Ｂともにロック状態となる。
【００４７】
したがって、本実施形態では、図１５に示すように、使用者が操作子４Ａの露出部分を下方に動かすと、ドア３Ａのみが開放され、使用者が操作子４Ａの露出部分を上方に動かすと、ドア３Ａ，３Ｂの双方が開放されることになる。かかる二つのドア３Ａ，３Ｂの異なる開放状態は、ピン１０ａ，長穴１０ｂ，突起１０ｃによって得られており、本実施形態では、これらピン１０ａ，長穴１０ｂ，および突起１０ｃが、第二の操作機構１０Ａを構成している。そして、この第二の操作機構１０Ａと、第一および第二のロック機構１３Ａ，１３Ｂとによって、接続状態切替機構２０Ａが構成されている。なお、上記構成はあくまでも一例にすぎず、二つのドア３Ａ，３Ｂについて、操作子４Ａの位置に応じてどのような開放状態を得るかは、適宜に変更可能である。
【００４８】
以上、説明したように、本実施形態では、二つのドア３Ａ，３Ｂを設け、接続状態切替機構２０Ａを、ドア３Ａを本体部２Ａにロックする第一のロック機構１３Ａと、ドア３Ｂを本体部２Ａにロックする第二のロック機構１３Ｂと、可動部７Ａが中間位置に位置する状態では第一および第二のロック機構１３Ａ，１３Ｂの双方をロック状態とし、可動部７Ａが往復動方向Ｍの一方側に位置する状態と他方側に位置する状態とで、第一および第二のロック機構１３Ａ，１３Ｂのうち少なくともいずれか一方のロックを解除して二つのドア３Ａ，３Ｂの異なる開放状態を得る第二の操作機構１０Ａと、を有するものとした。よって、本実施形態によれば、二つのドア３Ａ，３Ｂの異なる開放モードを比較的簡素な構成のドア開閉状態切替装置５Ａによって得ることができる。また、本実施形態でも、復帰機構８によって、上記第１実施形態と同様の効果が得られる。
【００４９】
以上、本発明の好適な実施形態について説明したが、本発明は上記実施形態には限定されず、種々の変形が可能である。例えば、ドア開閉状態切替装置は、本体部側に装備してもよいし、本体部の開口部分の開放方向や、ドアの開閉方向、開閉方式等も上記実施形態には限定されない。
【図面の簡単な説明】
【００５０】
【図１】本発明の第一実施形態にかかるドア開閉状態切替装置を装備したコンソールボックスの分解斜視図である。
【図２】本発明の第一実施形態にかかるドア開閉状態切替装置を装備したコンソールボックスの斜視図であって、ドアの閉塞状態を示す図である。
【図３】本発明の第一実施形態にかかるドア開閉状態切替装置を装備したコンソールボックスの斜視図であって、ドアが一方側で回動可能に支持され他方側に開放された状態を示す図である。
【図４】本発明の第一実施形態にかかるドア開閉状態切替装置を装備したコンソールボックスの斜視図であって、ドアが他方側で回動可能に支持され一方側に開放された状態を示す図である。
【図５】本発明の第一実施形態にかかるドア開閉状態切替装置の内部構成の一部の分解斜視図である。
【図６】本発明の第一実施形態にかかるドア開閉状態切替装置が装備されたコンソールボックスのドアの閉塞された状態での側面図（一部断面図）である。
【図７】図６に対応するドアの内部構成を示す平面図である。
【図８】本発明の第一実施形態にかかるドア開閉状態切替装置が装備されたコンソールボックスのドアの他方側に開放される直前の状態での側面図（一部断面図）である。
【図９】図８に対応するドアの内部構成を示す平面図である。
【図１０】本発明の第一実施形態にかかるドア開閉状態切替装置が装備されたコンソールボックスのドアの一方側に開放される直前の状態での側面図（一部断面図）である。
【図１１】図１０に対応するドアの内部構成を示す平面図である。
【図１２】本発明の第二実施形態にかかるドア開閉状態切替装置を装備したコンソールボックスの斜視図であって、二つのドアがともに閉塞された状態を示す図である。
【図１３】本発明の第二実施形態にかかるドア開閉状態切替装置の一部を示す分解斜視図である。
【図１４】本発明の第二実施形態にかかるドア開閉状態切替装置を装備したコンソールボックスの二つのドアがともに閉塞された状態でのドアの側面図（一部断面図）である。
【図１５】本発明の第二実施形態にかかるドア開閉状態切替装置を装備したコンソールボックスの二つのドアのうち一つのドアのみが開放される直前の状態でのドアの側面図（一部断面図）である。
【図１６】本発明の第二実施形態にかかるドア開閉状態切替装置を装備したコンソールボックスの二つのドアがともに開放される直前の状態でのドアの側面図（一部断面図）である。
【符号の説明】
【００５１】
２，２Ａ  本体部
２ａ  開口部分
３，３Ａ，３Ｂ  ドア
３ａ，３ｂ  端辺
５，５Ａ  ドア開閉状態切替装置
７，７Ａ  可動部
８ｂ  第一の押圧部材
８ｃ  第二の押圧部材
８ｄ  コイルスプリング（付勢機構）
９Ａ  第一の着脱式ヒンジ機構
９Ｂ  第二の着脱式ヒンジ機構
１０  操作機構
１０Ａ  第二の操作機構
１３Ａ  第一のロック機構
１３Ｂ  第二のロック機構
２０，２０Ａ  接続状態切替機構
Ｍ  往復動方向
【図１】
2010143514.tif 000003
【図２】
2010143514.tif 000004
【図３】
2010143514.tif 000005
【図４】
2010143514.tif 000006
【図５】
2010143514.tif 000007
【図６】
2010143514.tif 000008
【図７】
2010143514.tif 000009
【図８】
2010143514.tif 000010
【図９】
2010143514.tif 000011
【図１０】
2010143514.tif 000012
【図１１】
2010143514.tif 000013
【図１２】
2010143514.tif 000014
【図１３】
2010143514.tif 000015
【図１４】
2010143514.tif 000016
【図１５】
2010143514.tif 000017
【図１６】
2010143514.tif 000018